【事件の表示】
　特願２００３−１７７７３６「通話機能付情報端末による教授システム」拒絶査定不服審判事件〔平成１７年　１月２０日出願公開、特開２００５−　１７３１８〕について、次のとおり審決する。
【結　論】
　本件審判の請求は、成り立たない。
【理　由】
１．手続の経緯
　本願は、平成１５年６月２３日に特許出願されたものであって、平成２０年３月２６日付けで拒絶査定がなされ、これに対し、同年５月２日に拒絶査定不服審判が請求されるとともに、同日付けで手続補正がなされたものである。
　
２．本願発明
　本願の請求項に係る発明は、平成２０年５月２日付け手続補正により補正された特許請求の範囲の請求項１に記載された事項により特定されるものであると認められるところ、請求項１に係る発明は次のものである。
「ユーザが通話機能付情報端末でサーバに接続し、前記サーバに接続されたデータベースに登録された通話可能な教師を、求める教授内容から選択し、その教授内容を教授する教師と通話を行い、通話後に教師の評価をユーザが前記データベースに記録し、且つ通話に対する利用料をサーバが課金し、教授した教師には教授報酬を入金することを特徴とする通話機能付情報端末による教授システム。」（以下「本願発明」という。）
　
３．刊行物の記載事項 
　原査定の拒絶理由に引用された、本願の出願前に頒布された刊行物である特開２００３−２９６１１号公報（以下「引用例」という。）には、下記の事項が記載されている。
　
（１）「【０００１】
【発明の属する技術分野】本発明は、生徒と講師との間での応答を仲介する応答システム、該応答システムに用いられる応答仲介装置及び講師用情報処理装置、並びにコンピュータを応答仲介装置及び講師用情報処理装置として機能させるためのコンピュータプログラムに関する。」
　
（２）「【００６１】
【発明の実施の形態】以下本発明をその実施の形態を示す図面に基づいて詳述する。図１は、本発明に係る応答システムの実施の形態の構成を示す模式図である。
【００６２】図において、１は応答仲介装置として用いるコンピュータを、２は生徒用情報処理装置を、３は講師用情報処理装置として用いるコンピュータを、４はインターネット等の通信ネットワークを夫々示している。
【００６３】また通信ネットワーク４には、記録媒体５１を有するサーバコンピュータ５が接続されている。
・・・
【００７５】また、コンピュータ１は、ＨＴＴＰ（Hypertext Transfer Protocol）を使用してＨＴＭＬ等のページ記述言語にて作成されたデータ（以下、ＨＴＭＬファイルという）並びに画像及び音声等のデータをＷＷＷクライアントへ提供するためのコンピュータプログラム（以下、ＷＷＷサーバプログラムという）をハードディスク２４にインストールしてあり、このＷＷＷサーバプログラムをＣＰＵ２１がＲＡＭ２２にロードすることにより、ＷＷＷサーバとして機能する。」
　
（３）「【００６４】図２は、コンピュータ１の構成を示すブロック図である。図において、１１はＣＰＵを、１２はＲＡＭを、１３は外部記憶装置を、１４はハードディスクを、１５は通信インタフェースを、１６は時計回路を夫々示している。
【００６５】ＣＰＵ１１は、バスを介して接続されているハードウェア各部を制御するとともに、ハードディスク１４に格納されたコンピュータプログラムを実行する。
【００６５】ＣＰＵ１１は、バスを介して接続されているハードウェア各部を制御するとともに、ハードディスク１４に格納されたコンピュータプログラムを実行する。
【００６６】ＲＡＭ１２は、ＳＲＡＭ，ＤＲＡＭ等で構成されており、ＣＰＵ１１によるコンピュータプログラムの実行時に発生する一時的なデータを記憶する。
【００６７】外部記憶装置１３は、ＣＤ−ＲＯＭドライブ又はフレキシブルディスクドライブ等で構成されており、本発明のコンピュータプログラムが記録されているＣＤ−ＲＯＭ又はフレキシブルディスク等の可搬型記録媒体１３ａから本発明に係る応答仲介装置のコンピュータプログラムを読み取ることができる。
【００６８】ハードディスク１４は、様々なコンピュータプログラムが記憶してあり、外部記憶装置１３により読み取った本発明のコンピュータプログラムを格納することができる。また、ハードディスク１４内には、後述する講師データベースＤＢ１及び生徒データベースＤＢ２が設けられている。」
　
（４）「【００７７】図５は、生徒用情報処理装置２の構成を示すブロック図である。図において、２１はＣＰＵを、２２はＲＡＭを、２３は外部記憶装置を、２４はハードディスクを、２５は通信インタフェースを、２６は画像入出力インタフェースを、２７は入力インタフェースを、２８は音声入出力インタフェースを夫々示している。
【００７８】ＣＰＵ２１は、バスを介して接続されているハードウェア各部を制御するとともに、ハードディスク２４に格納されたコンピュータプログラムを実行する。
【００７９】ＲＡＭ２２は、ＳＲＡＭ，ＤＲＡＭ等で構成されており、ＣＰＵ２１によるコンピュータプログラムの実行時に発生する一時的なデータを記憶する。
【００８０】外部記憶装置２３は、ＣＤ−ＲＯＭドライブ又はフレキシブルディスクドライブ等で構成されており、ＣＤ−ＲＯＭ又はフレキシブルディスク等の可搬型記録媒体から、この可搬型記録媒体に記録されている各種データを読み取ることができる。
【００８１】ハードディスク２４は、様々なコンピュータプログラムが記憶してある。
【００８２】通信インタフェース２５は、通信ネットワーク４と接続するためのインタフェースであり、Ethernetインタフェース、モデム、又はＤＳＵなどから構成される。
【００８３】画像入出力インタフェース２６は、ＣＲＴ又はＬＣＤ等から構成される画像表示装置２６ａ及びＣＣＤカメラ２６ｂに接続され、画像表示装置２６ａに画像信号を出力し、画像表示装置２６ａに画像を表示させるとともに、ＣＣＤカメラ２６ｂにて撮像された画像の画像信号を入力し、前記画像を示すデジタルデータに変換するようになっている。
【００８４】入力インタフェース２７は、キーボード又はマウス等から構成される入力装置２７ａに接続され、ユーザが入力装置２７ａを操作することによって、生徒用情報処理装置２に様々なデータを入力することができるようになっている。
【００８５】音声入出力インタフェース２８は、スピーカ又はヘッドフォン等の音声出力装置２８ａ及びマイクロフォンから構成される音声入力装置２８ｂに接続され、音声出力装置２８ａに音声信号を出力し、音声出力装置２８ａから音声を出力させるとともに、音声入力装置２８ｂにて集音された音声の音声信号を入力し、前記音声を示すデジタルデータに変換するようになっている。」
　
（５）「【００８６】図６は、コンピュータ３の構成を示すブロック図である。図において、３１はＣＰＵを、３２はＲＡＭを、３３は外部記憶装置を、３４はハードディスクを、３５は通信インタフェースを、３６は画像入出力インタフェースを、３７は入力インタフェースを、３８は音声入出力インタフェースを夫々示している。
【００８７】ＣＰＵ３１は、バスを介して接続されているハードウェア各部を制御するとともに、ハードディスク３４に格納されたコンピュータプログラムを実行する。
【００８８】ＲＡＭ３２は、ＳＲＡＭ，ＤＲＡＭ等で構成されており、ＣＰＵ３１によるコンピュータプログラムの実行時に発生する一時的なデータを記憶する。
【００８９】外部記憶装置３３は、ＣＤ−ＲＯＭドライブ又はフレキシブルディスクドライブ等で構成されており、本発明のコンピュータプログラムが記録されているＣＤ−ＲＯＭ又はフレキシブルディスク等の可搬型記録媒体３３ａから本発明に係る講師用情報処理装置のコンピュータプログラムを読み取ることができる。
【００９０】ハードディスク３４は、様々なコンピュータプログラムが記憶してあり、外部記憶装置３３により読み取った本発明のコンピュータプログラムを格納することができる。
【００９１】通信インタフェース３５は、通信ネットワーク４と接続するためのインタフェースであり、Ethernetインタフェース、モデム、又はＤＳＵなどから構成される。
【００９２】画像入出力インタフェース３６は、ＣＲＴ又はＬＣＤ等から構成される画像表示装置３６ａ及びＣＣＤカメラ３６ｂに接続され、画像表示装置３６ａに画像信号を出力し、画像表示装置３６ａに画像を表示させるとともに、ＣＣＤカメラ３６ｂにて撮像された画像の画像信号を入力し、前記画像を示すデジタルデータに変換するようになっている。
【００９３】入力インタフェース３７は、キーボード又はマウス等から構成される入力装置３７ａに接続され、ユーザが入力装置３７ａを操作することによって、コンピュータ３に様々なデータを入力することができるようになっている。
【００９４】音声入出力インタフェース３８は、スピーカ又はヘッドフォン等の音声出力装置３８ａ及びマイクロフォンから構成される音声入力装置３８ｂに接続され、音声出力装置３８ａに音声信号を出力し、音声出力装置３８ａから音声を出力させるとともに、音声入力装置３８ｂにて集音された音声の音声信号を入力し、前記音声を示すデジタルデータに変換するようになっている。」
　
（６）「【０１４２】次に、本発明に係る応答システムが生徒と講師との応答を仲介するときの動作について説明する。図１５及び図１６は、本発明に係る応答システムが生徒と講師との応答を仲介するときの動作の流れを示すフローチャートである。生徒が学習を始めるとき、生徒が入力装置２７ａを操作し、ＣＰＵ２１が所定の処理を行って、例えばダイアルアップ接続等によって生徒用情報処理装置２が通信ネットワーク４に接続される（ステップ５０１）。
【０１４３】次に、生徒が入力装置２７ａを操作して、本実施の形態に係る応答システムにログインする指示を生徒用情報処理装置２に入力する（ステップ５０２）。ＣＰＵ２１は、本実施の形態に係る応答システムに、この生徒用情報処理装置２を用いる生徒がログインするときに、コンピュータ１にて生徒の認証に用いられる生徒名とパスワードとを夫々示すデータの入力を受け付けるための入力画面を、画像表示装置２６ａに表示させるべく、画像入出力インタフェース２６に画像信号を出力させる（ステップ５０３）。
【０１４４】そして、生徒が入力装置２７ａを操作することにより、生徒用情報処理装置２に生徒名及びパスワードを夫々示すデータが入力され（ステップ５０４）、ＣＰＵ２１によって、前記データが通信インタフェース２５から送信される（ステップ５０５）。
【０１４５】コンピュータ１の通信インタフェース１５によって前記データが受信され、このデータがＣＰＵ１１に与えられる（ステップ５０６）。ＣＰＵ１１は、生徒データベースＤＢ２を検索し、このデータに含まれる講師名及びパスワードが関連付けられて生徒データベースＤＢ２に記憶してあるか否かの判別、即ちこの生徒が本実施の形態に係る応答システムに登録されている生徒であることの認証を行う（ステップ５０７）。
【０１４６】なお、前記生徒名は、生徒の名前であってもよいし、生徒の電話番号又は各生徒に個別に割り当てられたＩＤ番号等であってもよい。
【０１４７】ステップ５０７において、講師の認証が失敗した場合、ＣＰＵ１１は処理を終了する。また、ステップ５０７において、講師の認証が成功した場合、ＣＰＵ１１は、図１０に示す如き生徒テーブルに、この生徒の生徒名、及び状態を登録し（ステップ５０８）、通信インタフェース１５に、生徒の本実施の形態に係る応答システムへのログインが完了した旨を示すデータを、生徒用情報処理装置２へ送信させる（ステップ５０９）。なお、ステップ５０９にて生徒テーブルに登録される生徒の状態は、学習中とする。
・・・
【０１５３】また、ＣＰＵ１１によって、ＲＡＭ１２に格納されている講師テーブルから、前記科目データの科目を専門科目とする講師の講師名、専門科目、及び状態を夫々示すデータが読み出される（ステップ５２０）。またＣＰＵ１１は、講師データベースＤＢ１から、全ての講師の待機開始予定時刻を示すデータを読み出し（ステップ５２１）、更に、講師テーブルから読み出したデータを用いて、各専門科目毎にログインしている講師数を計数する（ステップ５２２）。そしてＣＰＵ１１は、講師名、専門科目、講師の状態、講師の待機開始予定時刻、及び各専門科目毎のログインしている講師数のデータを通信インタフェース１５に送信させる（ステップ５２３）。
【０１５４】前記データが通信インタフェース２５によって受信され（ステップ５２４）、ＣＰＵ２１に与えられて、ＣＰＵ２１が前記科目データの科目を専門科目とする講師であって、その時点で本実施の形態に係る応答システムにログインしている講師の講師名、専門科目、及び状態、各講師の待機開始予定時刻、並びに各科目毎のログインしている講師数を画像表示装置２６ａに表示させるべく、画像入出力インタフェース２６に画像信号を出力させる（ステップ５２５）。
・・・
【０１５７】また、生徒用情報処理装置２がこのような学習用の音声、画像、及び文字を出力するとともに、生徒が学習している科目を専門科目とする講師であって、その時点で本実施の形態に係る応答システムにログインしている講師の講師名、専門科目、及び状態、各講師の待機開始予定時刻、並びに各科目毎のログインしている講師数を出力することにより、生徒は学習を行いながら、例えば生徒に理解し易く応答してくれる講師等、特定の講師がどのような状態にあるかを確認することができ、また生徒が学習している科目を専門科目とする講師が何人ログインしているかを確認することができる。また生徒は、生徒が学習を始める前に、生徒に理解し易く応答してくれる講師が待機していることを確認してから、学習の開始を決定することができる。
【０１５８】前記学習用データによる学習を終了し、生徒がこの学習において特に質問等がない場合（ステップ５２６）は、生徒が入力装置２７ａを操作して、本実施の形態に係る応答システムからログアウトする指示を生徒用情報処理装置２に入力する（ステップ５２７）。そして、ＣＰＵ２１が、通信インタフェース２５に前記生徒の本実施の形態に係る応答システムからのログアウトを要求するデータを送信させ（ステップ５２８）、通信インタフェース１５がこのデータを受信して（ステップ５２９）、前記生徒の生徒名、状態、及び学習科目を前記生徒テーブルから削除し（ステップ５３０）、処理を終了する。
【０１５９】また、ステップ５２６において、生徒がこの学習において質問等がある場合、生徒が画像表示装置２６ａに講師名、専門科目、及び状態が表示されている講師の内、前記状態が待機状態である一の講師を選択し、入力装置２７ａを操作して、この講師の講師名のデータを生徒用情報処理装置２に入力する（ステップ５３１）。そして、ＣＰＵ２１は、この講師名のデータを通信インタフェース２５に送信させ（ステップ５３１）、コンピュータ１の通信インタフェース１５によって前記データが受信される（ステップ５３３）。
【０１６０】ＣＰＵ１１は、前記データが示す講師名に対応するＩＰアドレスを、講師テーブルから取得し（ステップ５３４）、講師テーブルのこの講師の状態を応答中に変更し、生徒テーブルのこの生徒の状態を応答中に変更すると共に、前記生徒用情報処理装置２と前記ＩＰアドレスによって特定されるコンピュータ３との間で、コンピュータ１を介して音声、画像、及び文字を示すデータを送受信させ、生徒と講師との間で応答を行わせる（ステップ５３５）。
・・・
【０１６３】また、ＣＰＵ１１は、生徒データベースＤＢ２に記憶されている応答回数の内、この生徒の応答回数を１だけインクリメントするように、生徒データベースＤＢ２を更新する（ステップ５３６）。また、応答が終了した場合には、講師テーブルのこの講師の状態が待機中に変更され、生徒テーブルのこの生徒の状態が学習中に変更される。
【０１６４】図１８は、応答中の画像表示装置２６ａの表示画面の一例を示す図である。生徒用情報処理装置２とコンピュータ３との間では、音声、画像、及び文字を示すデータが送受信され、図に示すような画面が画像表示装置２６ａに表示される。この画面には、コンピュータ３に接続されたＣＣＤカメラ３６ｂによって撮像された講師の動画と、生徒用情報処理装置２に接続されたＣＣＤカメラ２６ｂによって撮像された生徒の動画と、講師がコンピュータ３に接続された入力装置３７ａを操作して入力した画像及び文字とが表示される。また、この表示と同時にコンピュータ３に接続された音声入力装置３８ｂにて集音した音声が音声出力装置２８ａから出力される。また、コンピュータ３の画像表示装置３６ａにも略同様の画面が表示され、生徒用情報処理装置２に接続された音声入力装置２８ｂにて集音した音声が音声出力装置３８ｂから出力される。
【０１６５】そして、このような応答が終了した後、ＣＰＵ２１はステップ５２６に処理を戻す。」
　
（７）「【０１６６】次に、本発明に係る応答システムの生徒に対する課金処理について説明する。図１９は、本発明に係る応答システムが生徒に対する課金処理を行うときの動作の流れを示すフローチャートである。ＣＰＵ１１は、生徒データベースＤＢ２から、生徒データベースＤＢ２の最初のレコードの応答回数及びクレジットカード番号を取得し（ステップ６０１）、この生徒に対する料金を演算する（ステップ６０２）。この処理では、取得した応答回数に、１回の応答に対して予め設定されている応答料金を乗じた結果と、予め設定されている基本料金との和を計算することによりなされる。なお、料金の演算はこの計算手順に限定されるものでないことはいうまでもない。
【０１６７】コンピュータ１は、金融機関が運営管理する外部の決算用サーバコンピュータ（図示せず）に、通信ネットワーク４又は専用の通信回線にて接続されており、ＣＰＵ１１は、この決算用サーバコンピュータに対して通信を行い、クレジットカード番号及びステップ６０２にて演算した料金のデータを決算用サーバコンピュータに対して送信することにより、この生徒に対する前記料金の徴収を行う（ステップ６０３）。この処理は、個人認証等の処理を行うものであるが、説明を簡単にするため省略する。
【０１６８】また、本実施の形態においては、応答回数に応じて生徒に対する料金を演算する構成について述べたが、これに限定されるものではなく、例えば応答に要した時間を計測しておき、この時間の月間の累計に応じて生徒に対する料金を演算してもよいし、更に他の例として、講師の待機時間の総和を演算しておき、各講師に支払うべき待機に対する単位時間当たりの報酬額と前記待機時間の総和とを乗じ、この結果を生徒数で除したものから生徒に対する料金を演算してもよい。また、応答回数、応答に要した時間、及び講師の待機時間を組み合わせて、生徒に対する料金を演算するようにしてもよい。また、講師に支払うべき料金についても同様に、例えば月毎に応答に要した時間、及び待機時間を算出し、時間給を乗じた料金を支払う。この他、月毎の応答回数を算出し、これに単位給を乗じて支払うべき料金としても良い。なお、講師の能力に応じて能力給を加算する、予め、待機開始予定時刻を登録している場合には特別給を加算する、または講師数の不足を理由に緊急で待機した場合に特別給を加算する等、状況に応じて適宜講師に支払うべき料金を算出するようにすればよい。
【０１６９】次にＣＰＵ１１は、このレコードの応答回数を０にセットするよう、生徒データベースＤＢ２を更新し（ステップ６０４）、このレコードが生徒データベースＤＢ２の最終レコードであるか否かを判別する（ステップ６０５）。
【０１７０】ステップ６０５において、生徒データベースＤＢ２の最終レコードでない場合、生徒データベースＤＢ２の次のレコードの応答回数及びクレジットカード番号を取得し（ステップ６０６）、ステップ６０２に処理を戻す。
【０１７１】ステップ６０５において、このレコードが生徒データベースＤＢ２の最終レコードである場合には、処理を終了する。
【０１７２】この処理は、１ヶ月に１度等、所定の期間毎に行われる。」
　
（８）図１から、応答仲介装置として用いるコンピュータ１、生徒用情報処理装置２、講師用情報処理装置として用いるコンピュータ３は、それぞれインターネット等の通信ネットワーク４に接続されていることがみてとれる。
　
（９）よって、引用例には、次の発明（以下「引用発明」という。）が記載されていると認められる。
「生徒と講師との間での応答を仲介する応答システムであって、それぞれインターネット等の通信ネットワーク４に接続されている、ＷＷＷサーバとして機能する応答仲介装置１、生徒用情報処理装置２、講師用情報処理装置３を有し、
　応答システムが生徒と講師との応答を仲介するときの動作の流れは、
　生徒は学習を始めるとき、生徒用情報処理装置２を操作して応答システムにログインし、応答仲介装置１は、この生徒が応答システムに登録されている生徒であることの認証を行い、応答システムへのログインが完了した旨を示すデータを生徒用情報処理装置２へ送信し、
　生徒は、この学習において質問等がある場合、生徒用情報処理装置２を操作して、応答仲介装置１によって講師テーブルからデータが読み出され、画像表示装置２６ａに表示されている講師名、専門科目、及び状態が表示される講師の内、生徒が学習している科目を専門科目とし前記状態が待機状態である一の講師を選択し、これに対し応答仲介装置１は、前記生徒用情報処理装置２と当該講師名に対応するＩＰアドレスによって特定される講師用情報処理装置３との間で、音声、画像、及び文字を示すデータを送受信させ、生徒と講師との間で応答を行わせ、
　生徒用情報処理装置２の画像表示装置２６ａには、コンピュータ３に接続されたＣＣＤカメラ３６ｂによって撮像された講師の動画と、生徒用情報処理装置２に接続されたＣＣＤカメラ２６ｂによって撮像された生徒の動画と、講師が講師用情報処理装置３に接続された入力装置３７ａを操作して入力した画像及び文字とが表示され、また、この表示と同時に講師用情報処理装置３に接続された音声入力装置３８ｂにて集音した音声が音声出力装置２８ａから出力され、また、講師用情報処理装置３の画像表示装置３６ａにも略同様の画面が表示され、生徒用情報処理装置２に接続された音声入力装置２８ｂにて集音した音声が音声出力装置３８ｂから出力され、
　また、生徒データベースＤＢ２に記憶されている応答回数の内、この生徒の応答回数を１だけインクリメントするように、生徒データベースＤＢ２が更新され、
　応答システムが生徒に対する課金処理を行うときは、所定の期間毎に、応答仲介装置１は、生徒データベースＤＢ２から、生徒データベースＤＢ２のレコードの応答回数及びクレジットカード番号を取得し、この生徒に対する料金を、例えば、取得した応答回数に、１回の応答に対して予め設定されている応答料金を乗じた結果と、予め設定されている基本料金との和を計算することにより演算して、通信ネットワーク４又は専用の通信回線にて接続された金融機関が運営管理する外部の決算用サーバコンピュータに対して、クレジットカード番号及び演算した料金のデータを送信することにより、この生徒に対する前記料金の徴収を行い、また、講師に支払うべき料金についても算出して支払う、
　生徒と講師との間での応答を仲介する応答システム。」
　
４．対比 
　本願発明と引用発明とを対比する。
　
（１）引用発明の「生徒」、「講師」、「専門科目」及び「講師に支払うべき料金」は、それぞれ本願発明の「ユーザ」、「教師」、「教授内容」及び「教授報酬」に相当する。
　
（２）引用発明において、生徒用情報処理装置２は、講師用情報処理装置３に接続された音声入力装置３８ｂにて集音した音声が音声出力装置２８ａから出力され、また、講師用情報処理装置３は生徒用情報処理装置２に接続された音声入力装置２８ｂにて集音した音声が音声出力装置３８ｂから出力されるものであるので、引用発明の「生徒用情報処理装置２」は、本願発明の「通話機能付情報端末」に相当する。
　
（３）引用発明の「応答仲介装置１」はＷＷＷサーバとして機能するもので、本願発明の「サーバ」に相当する。
　
（４）引用発明の「講師テーブル」からは、「講師名、専門科目、及び待機状態等の状態のデータが応答仲介装置１によって読み出される」ので、引用発明の「講師テーブル」は、本願発明の「サーバに接続された、通話可能な教師が登録されたデータベース」に相当する。
　
（５）引用発明において、生徒は学習を始めるとき、生徒用情報処理装置２を操作して応答システムにログインし、応答仲介装置１は、この生徒が応答システムに登録されている生徒であることの認証を行い、応答システムへのログインが完了した旨を示すデータを生徒用情報処理装置２へ送信するので、引用発明は本願発明の「ユーザが通話機能付情報端末でサーバに接続し」との構成を具備する。
　
（６）引用発明において、生徒は、この学習において質問等がある場合、生徒用情報処理装置２を操作して、応答仲介装置１によって講師テーブルからデータが読み出され、画像表示装置２６ａに表示されている講師名、専門科目、及び状態が表示される講師の内、生徒が学習している科目を専門科目とし前記状態が待機状態である一の講師を選択しているので、引用発明と本願発明とは「ユーザが・・・前記サーバに接続されたデータベースに登録された通話可能な教師を、求める教授内容から選択し」ている点で一致する。
　
（７）引用発明において、生徒は、質問等がある場合、生徒が学習している科目を専門科目とし待機状態である一の講師を選択し、音声を送受信し、講師との間で応答を行うので、引用発明は、本願発明の「ユーザが・・・その教授内容を教授する教師と通話を行い」との構成を具備する。
　
（８）引用発明の応答仲介装置１は、所定の期間毎に、生徒データベースＤＢ２から、生徒データベースＤＢ２のレコードの応答回数及びクレジットカード番号を取得し、この生徒に対する料金を、例えば、取得した応答回数に、１回の応答に対して予め設定されている応答料金を乗じた結果と、予め設定されている基本料金との和を計算することにより演算して、通信ネットワーク４又は専用の通信回線にて接続された金融機関が運営管理する外部の決算用サーバコンピュータに対して、クレジットカード番号及び演算した料金のデータを送信することにより、この生徒に対する前記料金の徴収を行い、また、講師に支払うべき料金についても算出して支払うものであるので、引用発明は本願発明の「通話に対する利用料をサーバが課金し、教授した教師には教授報酬を入金する」との構成を具備する。
　
　したがって、本願発明と引用発明とは、
「ユーザが通話機能付情報端末でサーバに接続し、前記サーバに接続されたデータベースに登録された通話可能な教師を、求める教授内容から選択し、その教授内容を教授する教師と通話を行い、且つ通話に対する利用料をサーバが課金し、教授した教師には教授報酬を入金する通話機能付情報端末による教授システム。」の点で一致し、下記の点で相違する。
　
相違点：
　本願発明は、「通話後に教師の評価をユーザが前記データベースに記録」するものであるのに対して、引用発明はそのような構成を具備しない点。
　
　
５．判断
　上記相違点について検討すると、教師の評価を生徒が行うことは、本願出願時において広く行われていたものと認められ（例えば、原査定の拒絶理由に引用された特開２００３−２１９９９号公報の段落【００３２】のほか、特開２００２−１３３２３８号公報の図２６、図２９参照）、引用発明において、生徒が教師を評価するように本願発明の相違点に係る構成にすることは当業者が容易になし得たことである。
　
　よって、本願発明は、引用例に記載された発明に基づいて、当業者が容易に発明をすることができたものである。
　
　
６．むすび
　本願発明は、引用例に記載された発明に基づいて、その出願前にその発明の属する技術の分野における通常の知識を有する者が容易に発明をすることができたものであるから、特許法第２９条第２項の規定により特許を受けることができない。
　よって、結論のとおり審決する。